(57)【要約】      （修正有）【課題】レンズの周囲に種々の付属品が取りつけられることが可能なレンズ装置を提供する。【解決手段】レンズ装置は、筐体３００、保持構造３１０、及び電気接点３２０を備えており、筐体３００は、レンズ２１０を保持し、保持構造３１０は、レンズ２１０の周囲の筐体３００の外面に設けられており、保持構造３１０は、付属品を着脱可能に保持し、電気接点３２０は、レンズ２１０と保持構造３１０との間の筐体３００の外面に設けられていることを特徴とする。【選択図】図４
2019168554.tif 000002
【特許請求の範囲】
【請求項１】
レンズを保持する筐体と、
前記レンズの周囲の前記筐体の外面に設けられ、付属品を着脱可能に保持する保持構造と、
前記レンズと前記保持構造との間の前記筐体の外面に設けられ、前記付属品と電気的に接続される電気接点と
を備える、レンズ装置。
【請求項２】
前記電気接点は、前記保持構造によって保持されている前記付属品の電気接点と接触する位置に設けられる、請求項１に記載のレンズ装置。
【請求項３】
前記保持構造は、前記付属品を前記筐体の外面に対してスライドまたは回転させることで前記筐体の外面に対して前記付属品を着脱させる、請求項１に記載のレンズ装置。
【請求項４】
複数の前記電気接点を備え、
前記複数の電気接点は、前記付属品のスライド方向または回転方向に沿って前記筐体の外面に設けられる、請求項３に記載のレンズ装置。
【請求項５】
前記付属品は、前記電気接点を介して電力が供給される負荷を有する、請求項１に記載のレンズ装置。
【請求項６】
前記付属品は、前記レンズを覆う、請求項１に記載のレンズ装置。
【請求項７】
前記付属品は、前記レンズの前記筐体から露出する部分を、シール部材を介して前記付属品の内面と前記筐体の外面との間の空間によって密閉する、請求項６に記載のレンズ装置。
【請求項８】
前記保持構造が、前記シール部材を有する、請求項７に記載のレンズ装置。
【請求項９】
請求項１から８の何れか１つに記載のレンズ装置と、
前記レンズを介して結像する光学像を電気信号に変換するイメージセンサと
を備える撮像装置。
【発明の詳細な説明】
【技術分野】
【０００１】
本発明は、レンズ装置、及び撮像装置に関する。
【背景技術】
【０００２】
特許文献１には、カメラの筐体に着脱可能に取り付けられるレンズカバーが開示されている。
特許文献１  米国特許出願公開第２０１７／０１６８３７４号明細書
【発明の概要】
【発明が解決しようとする課題】
【０００３】
筐体に保持されるレンズの周囲に種々の付属品が取りつけられるようにすることが望まれている。
【課題を解決するための手段】
【０００４】
本発明の一態様に係るレンズ装置は、レンズを保持する筐体を備えてよい。レンズ装置は、レンズの周囲の筐体の外面に設けられ、付属品を着脱可能に保持する保持構造を備えてよい。レンズ装置は、レンズと保持構造との間の筐体の外面に設けられ、付属品と電気的に接続される電気接点を備えてよい。
【０００５】
電気接点は、保持構造によって保持されている付属品の電気接点と接触する位置に設けられてよい。
【０００６】
保持構造は、付属品を筐体の外面に対してスライドまたは回転させることで筐体の外面に対して前記付属品を着脱させてよい。
【０００７】
レンズ装置は、複数の電気接点を備えてよい。複数の電気接点は、付属品のスライド方向または回転方向に沿って筐体の外面に設けられてよい。
【０００８】
付属品は、電気接点を介して電力が供給される負荷を有してよい。
【０００９】
付属品は、レンズを覆ってよい。
【００１０】
付属品は、レンズの筐体から露出する部分を、シール部材を介して付属品の内面と筐体の外面との間の空間によって密閉してよい。
【００１１】
保持構造が、シール部材を有してよい。
【００１２】
本発明の一態様に係る撮像装置は、上記レンズ装置を備えてよい。撮像装置は、レンズを介して結像する光学像を電気信号に変換するイメージセンサを備えてよい。
【００１３】
本発明の一態様によれば、筐体に保持されるレンズの周囲に種々の付属品を取り付けることができる。
【００１４】
なお、上記の発明の概要は、本発明の必要な特徴の全てを列挙したものではない。また、これらの特徴群のサブコンビネーションもまた、発明となりうる。
【図面の簡単な説明】
【００１５】
【図１】撮像装置の機能ブロックの一例を示す図である。
【図２】レンズ、保持構造、及び電気接点の位置関係について説明するために撮像装置を模式的に示した概略図を示す図である。
【図３】レンズ、保持構造、及び電気接点の位置関係について説明するために撮像装置を模式的に示した概略図を示す図である。
【図４】付属品が取り外された状態の撮像装置の外観斜視図の一例を示す図である。
【図５】撮像装置の外観斜視図の一例を示す図である。
【図６Ａ】電気接点の配置例を示す図である。
【図６Ｂ】電気接点の配置例を示す図である。
【図６Ｃ】電気接点の配置例を示す図である。
【図６Ｄ】電気接点の配置例を示す図である。
【図６Ｅ】電気接点の配置例を示す図である。
【発明を実施するための形態】
【００１６】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１７】
図１は、本実施形態に係る撮像装置１００の機能ブロックの一例を示す図である。撮像装置１００は、筐体３００を備える。筐体３００は、撮像部１０２及びレンズ部２００を保持する。撮像装置１００は、レンズ装置の一例である。筐体３００には、付属品４００が着脱可能に設けられる。付属品４００は、光源４４０を備えてよい。付属品４００は、照明として機能してよい。付属品４００は、撮像部１０２が備えるバッテリ１７０からの電力を受けて光源４４０を駆動させる。付属品４００は、バッテリ１７０から電力を受けて駆動する光源４４０以外の負荷を備えてよい。付属品４００は、例えば、電子式可変ＮＤフィルタとして機能してもよい。
【００１８】
撮像部１０２は、イメージセンサ１２０、撮像制御部１１０、メモリ１３０、表示部１６０、及び操作部１６２を有する。イメージセンサ１２０は、ＣＣＤまたはＣＭＯＳにより構成されてよい。イメージセンサ１２０は、複数のレンズ２１０を介して結像する光学像を電気信号に変換する。イメージセンサ１２０は、複数のレンズ２１０を介して結像された光学像の画像データを撮像制御部１１０に出力する。撮像制御部１１０は、ＣＰＵまたはＭＰＵなどのマイクロプロセッサ、ＭＣＵなどのマイクロコントローラなどにより構成されてよい。撮像制御部１１０は、操作部１６２からの動作命令に応じて、撮像装置１００を制御してよい。メモリ１３０は、コンピュータ可読可能な記録媒体でよく、ＳＲＡＭ、ＤＲＡＭ、ＥＰＲＯＭ、ＥＥＰＲＯＭ、及びＵＳＢメモリなどのフラッシュメモリの少なくとも１つを含んでよい。メモリ１３０は、撮像制御部１１０がイメージセンサ１２０などを制御するのに必要なプログラム等を格納する。メモリ１３０は、撮像装置１００の筐体の内部に設けられてよい。メモリ１３０は、筐体３００から取り外し可能に設けられてよい。表示部１６０は、イメージセンサ１２０から出力された画像データを表示してよい。表示部１６０は、撮像装置１００の各種の設定情報を表示してよい。表示部１６０は、液晶ディスプレイ、タッチパネルディスプレイなどでよい。
【００１９】
レンズ部２００は、複数のレンズ２１０、レンズ移動機構２１２、レンズ制御部２２０、及びメモリ２２２を有する。複数のレンズ２１０は、ズームレンズ、バリフォーカルレンズ、及びフォーカスレンズとして機能してよい。複数のレンズ２１０の少なくとも一部または全部は、光軸に沿って移動可能に配置される。レンズ部２００は、撮像部１０２に対して着脱可能に設けられる交換レンズでもよい。レンズ移動機構２１２は、複数のレンズ２１０の少なくとも一部または全部を光軸に沿って移動させる。レンズ制御部２２０は、撮像部１０２からのレンズ制御命令に従って、レンズ移動機構２１２を駆動して、１または複数のレンズ２１０を光軸方向に沿って移動させる。レンズ制御命令は、例えば、ズーム制御命令、及びフォーカス制御命令である。メモリ２２２は、レンズ移動機構２１２を介して移動する複数のレンズ２１０の制御値を記憶する。
【００２０】
撮像装置１００は、保持構造３１０、及び電気接点３２０をさらに備える。保持構造３１０は、レンズ２１０の周囲の筐体３００の外面に設けられ、付属品４００を着脱可能に保持する。電気接点３２０は、レンズ２１０と保持構造３１０との間の筐体３００の外面に設けられ、付属品４００の電気接点４２０と電気的に接続される。電気接点３２０は、保持構造３１０によって保持されている付属品４００の電気接点４２０と接触する位置に設けられてよい。
【００２１】
保持構造３１０は、付属品４００を筐体３００の外面に対してスライドまたは回転させることで筐体３００の外面に対して付属品４００を着脱させる。保持構造３１０は、筐体３００の外面に対して付属品４００を着脱させるスライド式または回転式の構造を有してよい。
【００２２】
撮像装置１００は、複数の電気接点３２０を備えてよい。複数の電気接点３２０は、付属品４００のスライド方向または回転方向に沿って筐体３００の外面に設けられてよい。付属品４００は、電気接点３２０を介してバッテリ１７０からの電力が供給される負荷として光源４４０を有する。光源４４０は、例えば、ＬＥＤでよい。
【００２３】
付属品４００は、付属品制御部４１０、及びメモリ４３０をさらに有する。付属品制御部４１０は、光源４４０の駆動を制御する。付属品制御部４１０は、ＬＥＤドライバなどのＩＣチップでよい。メモリ４３０は、付属品制御部４１０が光源４４０を駆動させるためのプログラムなどを格納してよい。
【００２４】
付属品４００は、レンズ２１０を覆ってよい。付属品４００は、筐体３００から露出するレンズ２１０の露出部分を覆ってよい。付属品４００は、レンズカバーとして機能してよい。付属品４００は、レンズ２１０の筐体３００から露出する露出部分を、シール部材３１２を介して付属品４００の内面と筐体３００の外面との間の空間によって密閉してよい。保持構造３１０がシール部材３１２を有してよい。シール部材３１２は、シリコンなどの弾性材料で構成されたパッキンでよい。
【００２５】
図２及び図３は、レンズ２１０、保持構造３１０、及び電気接点３２０の位置関係について説明するために撮像装置１００を模式的に示した概略図を示す。図２は、撮像装置１００を正面側から見た概略図である。図３は、撮像装置１００の概略の断面図である。電気接点３２０は、レンズ２１０と保持構造３１０との間の筐体３００の外面に設けられてよい。筐体３００は、基板３３０を保持する。基板３３０と電気的に接続される電気接点３２０が筐体３００の外面から突出してよい。電気接点３２０は、付属品４００が保持構造３１０に保持された状態で、付属品４００が有する電気接点４２０と接触する。
【００２６】
電気接点３２０は、レンズ２１０に入射する光を妨げない位置に設けられる。図３に示すように、レンズ２１０に入射する光線２１１を妨げない位置に電気接点３２０は設けられてよい。
【００２７】
図４は、付属品４００が取り外された状態の撮像装置１００の外観斜視図の一例を示す。筐体３００は、筐体３００の外面３０２上に、レンズ２１０の一部が露出した状態で、レンズ２１０を保持している。レンズ２１０の周囲の外面３０２上には、レンズ２１０を取り囲むように、保持構造３１０が設けられている。複数の電気接点３２０が、筐体３００の外面３０２上のレンズ２１０の周囲で、かつ保持構造３１０の内側に、設けられている。複数の電気接点３２０は、保持構造３１０に着脱可能に保持される付属品４００が有する複数の電気接点４２０と電気的に接続される。
【００２８】
付属品４００は、図５に示すように、矢印５００に示す方向に沿って筐体３００の外面３０２に対してスライドして、保持構造３１０に保持されてよい。付属品４００の保持構造３１０と係合する部分と、保持構造３１０との間に、レンズ２１０を密閉するためのシール部材３１２が設けられてよい。シール部材３１２は、筐体３００側、または付属品４００側に設けられてよい。
【００２９】
複数の電気接点３２０は、保持構造３１０に取り付ける場合に付属品４００が動く方向に沿って配置されてよい。例えば、付属品４００がスライドして保持構造３１０に取り付けられる場合、図６Ａに示すように、スライド方向５０１に沿って、複数の電気接点３２０が筐体３００の外面３０２に設けられてよい。２つの電気接点３２０が、レンズ２１０を挟んで、スライド方向５０１に沿って外面３０２に設けられてよい。図６Ｂに示すように、４つの電気接点３２０が、スライド方向５０１に沿って外面３０２に設けられてよい。
【００３０】
また、付属品４００が回転して保持構造３１０に取り付けられる場合、図６Ｃに示すように、回転方向５０２に沿って、複数の電気接点３２０が筐体３００の外面３０２に設けられてよい。２つの電気接点３２０が、レンズ２１０を挟んで、回転方向５０２に沿って外面３０２に設けられてよい。図６Ｄに示すように、４つの電気接点３２０が、回転方向５０２に沿って外面３０２に設けられてもよい。
【００３１】
図６Ｅに示すように、４つの電気接点３２０が、四方に１つずつ設けられてもよい。この場合は、付属品４００は、スライド方向５０１、または回転方向５０２に移動して、保持構造３１０に取り付けられてよい。
【００３２】
このように、複数の電気接点３２０が、付属品４００が保持構造３１０に対して取付けられる場合の移動方向に沿って配置されることで、付属品４００側の電気接点４２０が外面３０２に対してスライドまたは回転した際に生じる外面３０２の傷を最小限に留めることができる。
【００３３】
本実施形態に係る撮像装置１００によれば、レンズ２１０の外側で、保持構造３１０の内側の筐体３００の外面３０２上に電気接点３２０を有する。これにより、保持構造３１０に取り付けられる付属品４００の電気接点４２０と電気接点３２０との接続が、付属品４００を保持構造３１０に取り付けることのみで実現できる。電気接点３２０が、保持構造３１０の内側に存在するので、付属品４００により、レンズ２１０をカバーして、レンズ２１０を密閉しつつ、電気接点４２０と電気接点３２０との接続部分も同様に密閉できる。すなわち、付属品４００を保持構造３１０に取り付けることで、レンズ２１０とともに電気接点４２０と電気接点３２０との接続部分を外部から保護することができる。
【００３４】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００３５】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００３６】
１００  撮像装置
１０２  撮像部
１１０  撮像制御部
１２０  イメージセンサ
１３０  メモリ
１６０  表示部
１６２  操作部
１７０  バッテリ
２００  レンズ部
２１０  レンズ
２１１  光線
２１２  レンズ移動機構
２２０  レンズ制御部
２２２  メモリ
３００  筐体
３０２  外面
３１０  保持構造
３１２  シール部材
３２０  電気接点
３３０  基板
４００  付属品
４１０  付属品制御部
４２０  電気接点
４３０  メモリ
４４０  光源
【図１】
2019168554.tif 000003
【図２】
2019168554.tif 000004
【図３】
2019168554.tif 000005
【図４】
2019168554.tif 000006
【図５】
2019168554.tif 000007
【図６Ａ】
2019168554.tif 000008
【図６Ｂ】
2019168554.tif 000009
【図６Ｃ】
2019168554.tif 000010
【図６Ｄ】
2019168554.tif 000011
【図６Ｅ】
2019168554.tif 000012
【手続補正書】
【提出日】平成31年4月22日(2019.4.22)
【手続補正１】
【補正対象書類名】特許請求の範囲
【補正対象項目名】全文
【補正方法】変更
【補正の内容】
【特許請求の範囲】
【請求項１】
レンズを保持する筐体と、
前記レンズの周囲の前記筐体の外面に設けられ、付属品を着脱可能に保持する保持構造と、
前記レンズと前記保持構造との間の前記筐体の外面に設けられ、前記付属品と電気的に接続される電気接点と
を備える、レンズ装置。
【請求項２】
前記電気接点は、前記保持構造によって保持されている前記付属品の電気接点と接触する位置に設けられる、請求項１に記載のレンズ装置。
【請求項３】
前記保持構造は、前記付属品を前記筐体の外面に対してスライドまたは回転させることで前記筐体の外面に対して前記付属品を着脱させる、請求項１または２に記載のレンズ装置。
【請求項４】
複数の前記電気接点を備え、
前記複数の電気接点は、前記付属品のスライド方向または回転方向に沿って前記筐体の外面に設けられる、請求項３に記載のレンズ装置。
【請求項５】
前記付属品は、前記電気接点を介して電力が供給される負荷を有する、請求項１から４の何れか１つに記載のレンズ装置。
【請求項６】
前記付属品は、前記レンズを覆う、請求項１から５の何れか１つに記載のレンズ装置。
【請求項７】
前記付属品は、前記レンズの前記筐体から露出する部分を、シール部材を介して前記付属品の内面と前記筐体の外面との間の空間によって密閉する、請求項６に記載のレンズ装置。
【請求項８】
前記保持構造が、前記シール部材を有する、請求項７に記載のレンズ装置。
【請求項９】
前記筐体は、前記外面上に前記レンズの一部が露出した状態で、前記レンズを保持する、請求項１から８の何れか１つに記載のレンズ装置。
【請求項１０】
前記保持構造は、前記外面上に前記レンズを取り囲むように設けられる、請求項１から９の何れか１つに記載のレンズ装置。
【請求項１１】
請求項１から１０の何れか１つに記載のレンズ装置と、
前記レンズを介して結像する光学像を電気信号に変換するイメージセンサと
を備える撮像装置。
【請求項１２】
前記筐体は、前記イメージセンサを内蔵する、請求項１１に記載の撮像装置。